【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
処理の対象となる画像を受け入れる受入手段と、
前記受け入れた画像の少なくとも一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、
前記判断手段の判断結果に基づいて、前記受け入れた画像が、前記予め定められた画像であると判断されないことを条件として、当該受け入れた画像を処理対象とし、出力する処理又は記録する処理を行う処理手段と、
を含むことを特徴とする情報提供装置。
【請求項２】
前記処理手段は、前記判断手段の判断結果に基づいて、前記受け入れた画像が前記予め定められた画像であると判断した場合には、当該画像を出力する処理及び記録する処理を実行しないことを特徴とする請求項１に記載の情報提供装置。
【請求項３】
前記処理手段は、前記判断手段の判断結果に基づいて、前記受け入れた画像が前記予め定められた出力又は記録可能な画像であると判断した場合には、直前に出力又は記録していた画像の出力又は記録を続けることを特徴とする請求項１に記載の情報提供装置。
【請求項４】
コンピュータを、
処理の対象となる画像を受け入れる受入手段と、
前記受け入れた画像の少なくとも一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、
前記判断手段の判断結果に基づいて、前記受け入れた画像が、前記予め定められた画像であると判断されないことを条件として、当該受け入れた画像を処理対象とし、出力する処理又は記録する処理を行う処理手段と、
として機能させることを特徴とするプログラム。
【請求項５】
処理の対象となる画像を受け入れる受入手段と、
当該画像を受け入れたときに、少なくとも当該受け入れた画像の一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、
前記判断手段の判断結果に基づいて、前記受け入れた画像が、前記予め定められた画像であると判断されないことを条件として、当該受け入れた画像を処理対象とし、出力する処理又は記録する処理を行う処理手段と、
を含むことを特徴とする情報提供装置。
【請求項６】
利用者の指定した画像を出力する出力装置と、画像提供装置とを含み、
前記画像提供装置は、
前記出力装置が出力する画像を受け入れる受入手段と、
前記受け入れた画像の少なくとも一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、
前記判断手段の判断結果に基づいて、前記受け入れた画像が、前記予め定められた画像であると判断されないことを条件として、当該受け入れた画像を処理対象とし、出力する処理又は記録する処理を行う処理手段と、
を有することを特徴とする情報提供システム。
【請求項７】
前記受入手段は、ウィンドウシステムを動作させるコンピュータから提供の対象となる画像を受け入れ、
前記判断手段において予め定められた画像は、前記ウィンドウシステムにおける背景の画像であることを特徴とする請求項１から３のいずれか一項に記載の情報提供装置。
【手続補正２】
【補正対象書類名】明細書
【補正対象項目名】０００６
【補正方法】変更
【補正の内容】
【０００６】
請求項１記載の発明は、情報提供装置であって、処理の対象となる画像を受け入れる受入手段と、前記受け入れた画像の少なくとも一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、前記判断手段の判断結果に基づいて、前記受け入れた画像が、前記予め定められた画像であると判断されないことを条件として、当該受け入れた画像を処理対象とし、出力する処理又は記録する処理を行う処理手段と、を含むこととしたものである。
【手続補正３】
【補正対象書類名】明細書
【補正対象項目名】０００７
【補正方法】変更
【補正の内容】
【０００７】
請求項２記載の発明は、請求項１に記載の情報提供装置であって、前記処理手段は、前記判断手段の判断結果に基づいて、前記受け入れた画像が前記予め定められた画像であると判断した場合には、当該画像を出力する処理及び記録する処理を実行しないこととしたものである。
【手続補正４】
【補正対象書類名】明細書
【補正対象項目名】０００８
【補正方法】変更
【補正の内容】
【０００８】
請求項３記載の発明は、請求項１に記載の情報提供装置であって、前記処理手段は、前記判断手段の判断結果に基づいて、前記受け入れた画像が前記予め定められた出力又は記録可能な画像であると判断した場合には、直前に出力又は記録していた画像の出力又は記録を続けることとしたものである。
【手続補正５】
【補正対象書類名】明細書
【補正対象項目名】０００９
【補正方法】変更
【補正の内容】
【０００９】
請求項４記載の発明は、プログラムであって、コンピュータを、処理の対象となる画像を受け入れる受入手段と、
前記受け入れた画像の少なくとも一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、前記判断手段の判断結果に基づいて、前記受け入れた画像が、前記予め定められた画像であると判断されないことを条件として、当該受け入れた画像を処理対象とし、出力する処理又は記録する処理を行う処理手段と、として機能させるものである。
【手続補正６】
【補正対象書類名】明細書
【補正対象項目名】００１０
【補正方法】変更
【補正の内容】
【００１０】
請求項５記載の発明は、情報提供装置であって、処理の対象となる画像を受け入れる受入手段と、当該画像を受け入れたときに、少なくとも当該受け入れた画像の一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、前記判断手段の判断結果に基づいて、前記受け入れた画像が、前記予め定められた画像であると判断されないことを条件として、当該受け入れた画像を処理対象とし、出力する処理又は記録する処理を行う処理手段と、を含むこととしたものである。
【手続補正７】
【補正対象書類名】明細書
【補正対象項目名】００１１
【補正方法】変更
【補正の内容】
【００１１】
請求項６記載の発明は、情報提供システムであって、利用者の指定した画像を出力する出力装置と、画像提供装置とを含み、前記画像提供装置は、前記出力装置が出力する画像を受け入れる受入手段と、前記受け入れた画像の少なくとも一部の画像と、予め定められた画像のうち、前記少なくとも一部の画像の前記受け入れた画像上での範囲に対応する範囲との比較に基づいて、前記受け入れた画像の前記少なくとも一部が、前記予め定められた画像の前記対応する範囲に一致するか否かを判断する判断手段と、前記判断手段の判断結果に基づいて、前記受け入れた画像が、前記予め定められた画像であると判断されないことを条件として、当該受け入れた画像を処理対象とし、出力する処理又は記録する処理を行う処理手段と、を有することとしたものである。
請求項７記載の発明は、請求項１から３のいずれか一項に記載の情報提供装置であって、前記受入手段は、ウィンドウシステムを動作させるコンピュータから提供の対象となる画像を受け入れ、前記判断手段において予め定められた画像は、前記ウィンドウシステムにおける背景の画像であることとしたものである。
【手続補正８】
【補正対象書類名】明細書
【補正対象項目名】００１４
【補正方法】変更
【補正の内容】
【００１４】
請求項３記載の発明によると、提供された画像の少なくとも一部が画像に合致している場合は、それまでの提供状態を維持させることができる。
請求項７記載の発明によると、画像を提供する際に、その少なくとも一部が予め定められた画像としての背景の画像に合致しているか否かによって、提供をするか否かを制御するので、例えばプレゼンテーションとは関わりのない背景の画像が取得されても、かかる背景の画像が提供されることを防止できる。